(57)【要約】      （修正有）【課題】太陽熱温水器と電気又はガスによる給湯器と外付けの風呂釜とを有する場合において、温水器や給湯器の温水を浴槽水用に利用できるようにして風呂釜のガス又は灯油の使用量を節約する。【解決手段】太陽熱温水器１の温水を浴槽４へ送水する第１温水管５と、第１温水管５の途中に設けられる第１開閉弁６と、電気温水器２の温水を浴槽４へ送水する第２温水管７と、第２温水管７の途中に設けられる第２開閉弁８と、第１温水管５及び第２温水管７に水道水を送水する送水管９と、送水管９の途中に設けられる常閉の第３開閉弁１０と、浴槽水を沸かす風呂釜１２と、浴槽４の水位を検出する水位センサー１３と、浴槽４の水温を検出する温度センサー１４と、第１開閉弁６・第２開閉弁８・第３開閉弁１０・風呂釜１２を制御するコントロールボックス１５とで構成する。【選択図】図１
0003143837.tif 000002
【実用新案登録請求の範囲】
【請求項１】
水道水を加温する太陽熱温水器と電気又はガスで水道水を加温する給湯器と風呂釜付き浴槽とで構成された家庭用風呂の自動湯張り設備であって、太陽熱温水器の温水を浴槽へ送水する第１温水管と、第１温水管の途中に設けられる第１開閉弁と、電気温水器の温水を浴槽へ送水する第２温水管と、第２温水管の途中に設けられる第２開閉弁と、第１温水管及び第２温水管に水道水を送水する送水管と、送水管の途中に設けられる常閉の第３開閉弁と、浴槽の水位を検出する水位センサーと、浴槽の水温を検出する温度センサーと、第１開閉弁・第２開閉弁・第３開閉弁・風呂釜を制御する制御手段と、制御手段を操作する操作手段とで構成し、制御手段に、第１開閉弁又は第２開閉弁あるいは両方を開放した後に水位センサーが水位を検出すると第１開閉弁及び第２開閉弁を閉塞する制御と、温度センサーが設定温度を検出するまで風呂釜を作動させる制御と、温水が不足する場合又は温水の水温が設定温度以上の場合に第３開閉弁を開放する制御とを備えたことを特徴とする、家庭用風呂の自動湯張り設備。
【請求項２】
浴槽の残り湯の水量を検出する残量センサーと、上位の水位を検出する上位センサーと下位の水位を検出する下位センサーとを備えた貯水タンクと、同貯水タンクに浴槽の残り湯を送水するポンプと、貯水タンク内の残り湯又は水道水をいずれかに切り替えてトイレへ送水する三方開閉弁とを設け、制御手段に、所定時間になるとポンプを作動させ上位センサーが水位を検出するとポンプを停止する制御と、残量センサーが残り湯を検出しない場合且つ下位センサーが水位を検出しない場合に三方開閉弁を水道水側に切り替える制御とを設けた、請求項１記載の家庭用風呂の自動湯張り設備。
【考案の詳細な説明】
【技術分野】
【０００１】
本考案は、家庭用風呂の自動湯張り設備に関し、詳しくは太陽熱温水器と電気又はガスによる給湯器の温水を浴槽水用に利用し、風呂釜のガス又は灯油の使用量を節約できるようにする技術に関する。
【背景技術】
【０００２】
従来の風呂の自動湯張り設備は、浴槽へ水道水を送水する送水管の途中に設けられる開閉弁と、浴槽水を沸かす風呂釜と、浴槽の水位を検出する水位センサーと、浴槽の水温を検出する温度センサーと、開閉弁と風呂釜を制御するコントロールボックスと、ユーザーが設備の起動操作及び水温の設定操作をするためのリモコンとで構成されている。このコントロールボックスには、開閉弁を開放した後に水位センサーが水位を検出すると開閉弁を閉塞する制御と、温度センサーが設定温度を検出するまで風呂釜を作動させる制御とを備えており、ユーザーを蛇口の開閉操作から開放させ、しかも浴槽水の溢れや沸かしすぎを防止できるようになっている。
【０００３】
ところで、近年では太陽熱温水器や給湯器が普及しており、太陽熱温水器は日射時間帯に電気をほとんど消費せずに水道水を加温でき、給湯器は割安な深夜電力で水道水を加温できる。しかし、これらの設備は外付けの風呂釜とは連携していないから、これらの設備と外付けの風呂釜を有している家庭で風呂を沸かす際は太陽熱温水器や給湯器で加温した温水を直接使用することができず、使い切れなかった余剰の温水を有効活用できていなかった。
【特許文献１】実開平７−２６６５０号公報
【考案の開示】
【考案が解決しようとする課題】
【０００４】
本考案が解決しようとする課題は、従来のこれらの問題点を解消し、太陽熱温水器と電気又はガスによる給湯器と外付けの風呂釜とを有する場合において、温水器や給湯器の温水を浴槽水用に利用できるようにすることで、風呂釜のガス又は灯油の使用量を節約することにある。
【課題を解決するための手段】
【０００５】
かかる課題を解決した本考案の構成は、
１）  水道水を加温する太陽熱温水器と電気又はガスで水道水を加温する給湯器と風呂釜付き浴槽とで構成された家庭用風呂の自動湯張り設備であって、太陽熱温水器の温水を浴槽へ送水する第１温水管と、第１温水管の途中に設けられる第１開閉弁と、電気温水器の温水を浴槽へ送水する第２温水管と、第２温水管の途中に設けられる第２開閉弁と、第１温水管及び第２温水管に水道水を送水する送水管と、送水管の途中に設けられる常閉の第３開閉弁と、浴槽の水位を検出する水位センサーと、浴槽の水温を検出する温度センサーと、第１開閉弁・第２開閉弁・第３開閉弁・風呂釜を制御する制御手段と、制御手段を操作する操作手段とで構成し、制御手段に、第１開閉弁又は第２開閉弁あるいは両方を開放した後に水位センサーが水位を検出すると第１開閉弁及び第２開閉弁を閉塞する制御と、温度センサーが設定温度を検出するまで風呂釜を作動させる制御と、温水が不足する場合又は温水の水温が設定温度以上の場合に第３開閉弁を開放する制御とを備えたことを特徴とする、家庭用風呂の自動湯張り設備
２）  浴槽の残り湯の水量を検出する残量センサーと、上位の水位を検出する上位センサーと下位の水位を検出する下位センサーとを備えた貯水タンクと、同貯水タンクに浴槽の残り湯を送水するポンプと、貯水タンク内の残り湯又は水道水をいずれかに切り替えてトイレへ送水する三方開閉弁とを設け、制御手段に、所定時間になるとポンプを作動させ上位センサーが水位を検出するとポンプを停止する制御と、残量センサーが残り湯を検出しない場合且つ下位センサーが水位を検出しない場合に三方開閉弁を水道水側に切り替える制御とを設けた、前記１）記載の家庭用風呂の自動湯張り設備
にある。
【考案の効果】
【０００６】
本考案によれば、第１開閉弁又は第２開閉弁あるいは両方を開放して太陽熱温水器又は給湯器の温水を浴槽へ送水し、水位センサーが水位を検出すると第１開閉弁及び第２開閉弁を閉塞する。温度センサーが設定温度を検出するまで風呂釜を作動させ、設定温度に達すると風呂釜を停止させる。温水が不足する場合や温水が設定温度以上の場合は第３開閉弁を開放して水道水を送水し、不足分を補充又は水温を調節する。このように、太陽熱温水器や給湯器の余剰の温水を使用することで、風呂釜のガス又は灯油の使用量を節約でき、しかも湯沸かしが短時間で行える。
【考案を実施するための最良の形態】
【０００７】
本考案では、浴槽の残り湯をトイレへ送水できるようにすると、多量の残り湯も無駄なく再利用して節水できる。また、制御手段にタイマを内蔵し、風呂釜の作動時間をユーザーが手動で任意に設定できる機能を付加してもよい。この手動による風呂釜の作動中、設定した作動時間が経過する前に水温が設定温度を超えた場合は、第３開閉弁を自動的に開放させて水温を調節できるようにし、同時に風呂釜を強制的に停止させるようにしてもよい。以下、本考案の実施例を図面に基づいて具体的に説明する。
【実施例１】
【０００８】
図１は実施例の家庭用風呂の自動湯張り設備の説明図、図２，３は実施例のフローである。図中、１は太陽熱温水器、２は電気温水器、３はガス給湯器、４は浴槽、５は第１温水管、６は第１開閉弁、７は第２温水管、８は第２開閉弁、９は送水管、１０は第３開閉弁、１１は水道管、１２は風呂釜、１３は水位センサー、１４は温度センサー、１５はコントロールボックス（制御手段）、１６，１７はリモコン（操作手段）、１８は残量センサー、１９は貯水タンク、２０は上位センサー、２１は下位センサー、２２は排水管、２３はポンプ、２４はトイレ、２５はロータンク、２６は送水管、２７は水道管、２８は三方開閉弁、２９は信号線、Ｗは湯である。
【０００９】
本実施例の自動湯張り設備は、図１に示すように太陽熱温水器１の温水を浴槽４へ送水する第１温水管５と、第１温水管５の途中に設けられる第１開閉弁６と、電気温水器２（又はガス給湯器３）の温水を浴槽４へ送水する第２温水管７と、第２温水管７の途中に設けられる第２開閉弁８と、第１温水管５及び第２温水管７に水道水を送水する送水管９と、送水管９の途中に設けられる常閉の第３開閉弁１０と、浴槽水を沸かす風呂釜１２と、浴槽４の水位を検出する水位センサー１３と、浴槽４の水温を検出する温度センサー１４と、第１開閉弁６・第２開閉弁８・第３開閉弁１０・風呂釜１２を制御するコントロールボックス１５と、使用する温水を太陽熱温水器１側又は電気温水器２側あるいは両方に切替え操作するためのリモコン１６と、風呂釜１２の点火操作と水温の設定操作をするためのリモコン１７とで構成されている。
【００１０】
コントロールボックス１５は、リコモン１６で太陽熱温水器１側に切り替え操作された場合に第１開閉弁６を開放して第２開閉弁８を閉塞する制御と、リコモン１６で電気温水器２側に切り替え操作された場合に第２開閉弁８を開放して第１開閉弁６を閉塞する制御と、リコモン１６で太陽熱温水器１と電気温水器２の両方に切り替え操作された場合に第１開閉弁６と第２開閉弁８を開放する制御と、水位センサー１３が水位を検出すると第１開閉弁６と第２開閉弁８を閉塞する制御と、温度センサー１４で検出した水温が設定温度以下の場合に風呂釜１２の作動を継続し、設定温度になると風呂釜１２を停止し、設定温度以上の場合に風呂釜１２を停止するとともに第３開閉弁１０を開放し、第３開閉弁１０を開放した後に設定温度に下がると第３開閉弁１０を閉塞する制御とを備え、時間情報を出力するクロック（図示せず）を内蔵している。
【００１１】
また、浴槽４の残り湯の水量を検出する残量センサー１８と、上位の水位を検出する上位センサー２０と下位の水位を検出する下位センサー２１とを備えた貯水タンク１９と、浴槽４の残り湯を貯水タンク１９へ送水するポンプ２３と、貯水タンク１９内の残り湯又は水道水をいずれかに切り替える三方開閉弁２８とを設けている。コントロールボックス１５は、クロックが所定時間（本実施例では午前５時に設定）を示すと残量センサー１８が水位を検出している場合にポンプ２３を作動し、上位センサー２０が水位を検出するとポンプ２３を停止する制御と、ロータンク２５が一定水位以下に減少し且つ下位センサー２１が水位を検出している場合は三方開閉弁２８を残り湯側に切り替え、ロータンク２５が一定水位以下に減少し且つ下位センサー２１が水位を検出していない場合且つ残量センサー１８が水位を検出していない場合は三方開閉弁２８を水道水側に切り替える制御とを設けている。
【００１２】
本実施例を図２，３のフローに基づいて説明すると、ユーザーはリモコン１６を操作し、例えば日射時間帯では太陽熱温水器１側に切り替え、夜間では電気温水器２側に切り替え、日中で気温が低い場合では太陽熱温水器１と電気温水器２の両方の側に切り替える。コントロールボックス１５は第１開閉弁６又は第２開閉弁８あるいは両方を開放し、浴槽４へ温水を送水する。
【００１３】
次に、ユーザーはリモコン１７を操作し、風呂釜１２を点火するとともに希望する水温を設定する。浴槽４には温水が貯水されていき、水位センサー１３が水位を検出するとコントロールボックス１５が第１開閉弁６と第２開閉弁８を閉塞する。温度センサー１４で検出した水温が設定温度以下の場合は風呂釜１２の作動を継続し、設定温度に達すると風呂釜１２を停止し、設定温度以上の場合は風呂釜１２を停止するとともに第３開閉弁１０を開放して水道水を送水し、水温が設定温度に下がると第３開閉弁１０を閉塞する。このように、ユーザーが蛇口の開閉操作をすることなく自動的に適温の湯張りが成され、溢れや沸かし過ぎがない。しかも、太陽熱温水器１又は電気温水器２の温水を使用することで、風呂釜１２のガス又は灯油の使用量を節約でき、湯沸かしも短時間に行える。
【００１４】
午前５時になるとポンプ２３が自動的に作動し、浴槽４の残り湯を排水して貯水タンク１９に送水し、上位センサー２０が水位を検出するとポンプ２３を停止する。ユーザーがトイレ２４を使用してロータンク２５の水位が一定以下になると、下位センサー２１が水位を検出している場合は貯水タンク１９から残り湯を送水するように三方開閉弁２８を切り替え、下位センサー２１が水位を検出していない場合はポンプ２３を作動して残り湯を補充し、残量センサー１８が残り湯を検出しない場合は水道水を送水するように三方開閉弁２８を切り替える。このように、浴槽４の残り湯をユーザーが操作することなく再利用して節水できる。
【産業上の利用可能性】
【００１５】
本考案の技術は家庭用に有用である。
【図面の簡単な説明】
【００１６】
【図１】実施例の家庭用風呂の自動湯張り設備の説明図である。
【図２】実施例のフローである。
【図３】実施例のフローである。
【符号の説明】
【００１７】
１  太陽熱温水器
２  電気温水器
３  ガス給湯器
４  浴槽
５  第１温水管
６  第１開閉弁
７  第２温水管
８  第２開閉弁
９  送水管
１０  第３開閉弁
１１  水道管
１２  風呂釜
１３  水位センサー
１４  温度センサー
１５  コントロールボックス（制御手段）
１６，１７  リモコン（操作手段）
１８  残量センサー
１９  貯水タンク
２０  上位センサー
２１  下位センサー
２２  排水管
２３  ポンプ
２４  トイレ
２５  ロータンク
２６  送水管
２７  水道管
２８  三方開閉弁
２９  信号線
Ｗ  湯
【図１】
0003143837.tif 000003
【図２】
0003143837.tif 000004
【図３】
0003143837.tif 000005